(57)【特許請求の範囲】
【請求項１】
接続された状態にあるワイヤレス通信デバイスに関して第１のタイマおよび第２のタイマを初期化することであって、
前記第１のタイマは、第１の持続時間の後にタイムアウトし、
前記第２のタイマは、第２の持続時間の後にタイムアウトし、
前記第２の持続時間は、前記第１の持続時間よりも長い、初期化すること、
前記ワイヤレス通信デバイスから１つまたは複数のデータパケットを受信すること、
前記第１のタイマと前記第２のタイマを同時に開始すること、および
前記ワイヤレス通信デバイスの状態を、前記第１のタイマがタイムアウトし、前記第２のタイマがタイムアウトしていない場合であって、前記ワイヤレス通信デバイスと基地局の間の信号強度が事前定義された信号強度しきい値未満である場合、前記接続された状態からアイドル状態に変更することを備える方法。
【請求項２】
前記接続された状態は、ロングタームエボリューション（ＬＴＥ）標準に準拠するＲＲＣ（Ｒａｄｉｏ  Ｒｅｓｏｕｒｃｅ  Ｃｏｎｔｒｏｌ）接続状態である請求項１に記載の方法。
【請求項３】
前記第１の持続時間は、連続したデータパケットの間の遅延の事前定義された間隔よりも大きい請求項１に記載の方法。
【請求項４】
前記ワイヤレス通信デバイスと前記基地局の間の前記信号強度が前記事前定義された信号強度しきい値未満であるという指示を受信することをさらに備える請求項１に記載の方法。
【請求項５】
指示を前記受信することは、隣接するセルの信号強度が、前記ワイヤレス通信デバイスが入っているサービングセルの信号強度よりも事前定義されたオフセットだけ強いことを示すレポートを、前記ワイヤレス通信デバイスから受信することを備える請求項４に記載の方法。
【請求項６】
前記ワイヤレス通信デバイスの前記状態を前記アイドル状態に変更する際、前記第１のタイマおよび前記第２のタイマを終了させることをさらに備える請求項１に記載の方法。
【請求項７】
前記ワイヤレス通信デバイスからさらなる１つまたは複数のデータパケットを受信すること、および
前記ワイヤレス通信デバイスから前記さらなる１つまたは複数のデータパケットを前記受信することに応答して、前記ワイヤレス通信デバイスの前記状態を前記接続された状態に戻すことをさらに備える請求項１に記載の方法。
【請求項８】
前記ワイヤレス通信デバイスの前記状態を、
前記第２のタイマがタイムアウトする前に前記ワイヤレス通信デバイスからデータパケットがまったく受信されていない場合、および
前記ワイヤレス通信デバイスと前記基地局の間の前記信号強度が、前記事前定義された信号強度しきい値以上である場合、
前記接続された状態に維持することをさらに備える請求項１に記載の方法。
【請求項９】
ワイヤレス通信デバイスに関して、前記ワイヤレス通信デバイスが第１のタイプの通信状態で第１のデータパケットを受信する、または送信する場合に、第１のタイマと第２のタイマを同時に開始することであって、
前記第１のタイマは、第１の持続時間の後にタイムアウトし、
前記第２のタイマは、前記開始することから第２の持続時間の後にタイムアウトし、
前記第２の持続時間は、前記第１の持続時間よりも長いこと、
前記ワイヤレス通信デバイスに関連する１つまたは複数の第２のデータパケットを受信すること、
前記１つまたは複数の第２のデータパケットを受信することが、前記第１のタイマがタイムアウトする前に生じた場合、前記第１のタイマと前記第２のタイマを同時に再開すること、および
前記第１のタイマがタイムアウトした後であって、前記第２のタイマがタイムアウトする前に、前記ワイヤレス通信デバイスが２つのセルの間で切り換わっていることを示すイベントに応じて、前記ワイヤレス通信デバイスを、前記第１のタイプの通信状態とは異なる第２のタイプの通信状態に変更することを備える方法。
【請求項１０】
前記第１の持続時間は、連続した第２のデータパケットの間の遅延の事前定義された間隔よりも大きい請求項９に記載の方法。
【請求項１１】
前記ワイヤレス通信デバイスは、前記第１のタイプの通信状態にある場合、背景情報以外のデータパケットを受信し、または送信し、
前記ワイヤレス通信デバイスは、前記第２のタイプの通信状態にある場合、背景情報を送信し、データパケットをまったく送信しない請求項９に記載の方法。
【請求項１２】
前記変更することは、前記ワイヤレス通信デバイスと基地局の間の信号強度が事前定義された信号強度しきい値未満であるという指示を受信することを備える請求項９に記載の方法。
【請求項１３】
指示を前記受信することは、隣接するセルの信号強度が、前記ワイヤレス通信デバイスが入っているサービングセルの信号強度よりも事前定義されたオフセットだけ良好であることを示すレポートを、前記ワイヤレス通信デバイスから受信することを備える請求項１２に記載の方法。
【請求項１４】
前記ワイヤレス通信デバイスの状態を、
前記第１のタイマがタイムアウトしたこと、
前記第２のタイマがタイムアウトしていないこと、および
前記指示を前記受信すること
に応じてアイドル状態に設定することをさらに備える請求項１２に記載の方法。
【請求項１５】
前記第１のタイマおよび前記第２のタイマを終了させることをさらに備える請求項１４に記載の方法。
【請求項１６】
前記ワイヤレス通信デバイスの前記状態を、前記ワイヤレス通信デバイスからさらなる１つまたは複数のデータパケットを受信する際に、接続された状態に設定することをさらに備える請求項１４に記載の方法。
【請求項１７】
実行されると、１つまたは複数のプロセッサに、
接続された状態にあるワイヤレス通信デバイスに関して第１のタイマと第２のタイマを同時に開始することであって、
前記第１のタイマは、第１の持続時間の後にタイムアウトし、
前記第２のタイマは、第２の持続時間の後にタイムアウトし、
前記第２の持続時間は、前記第１の持続時間よりも長いこと、
前記ワイヤレス通信デバイスの状態を、
前記第１のタイマがタイムアウトした後、前記第２のタイマがタイムアウトする前に前記ワイヤレス通信デバイスからデータパケットがまったく受信されていない場合、および
前記ワイヤレス通信デバイスと基地局の間の信号強度が事前定義された信号強度しきい値未満である場合、
前記接続された状態からアイドル状態に変更すること
を備える動作を実行させる命令を記憶している非一時的コンピュータ可読媒体。
【請求項１８】
前記接続された状態は、ロングタームエボリューション（ＬＴＥ）標準に準拠するＲＲＣ（Ｒａｄｉｏ  Ｒｅｓｏｕｒｃｅ  Ｃｏｎｔｒｏｌ）接続状態である請求項１７に記載のコンピュータ可読媒体。
【請求項１９】
前記第１の持続時間は、連続したデータパケットの間の遅延の事前定義された間隔よりも大きい請求項１７に記載のコンピュータ可読媒体。
【請求項２０】
前記動作は、
前記ワイヤレス通信デバイスと前記基地局の間の前記信号強度が前記事前定義された信号強度しきい値未満であるという指示を受信することをさらに備える請求項１７に記載のコンピュータ可読媒体。
【請求項２１】
指示を前記受信することは、前記ＬＴＥ標準に準拠して前記ワイヤレス通信デバイスからイベントＡ３レポートを受信することを備える請求項２０に記載のコンピュータ可読媒体。
【請求項２２】
前記動作は、
前記ワイヤレス通信デバイスの前記状態を前記アイドル状態に変更する際、前記第１のタイマおよび前記第２のタイマを終了させることをさらに備える請求項１７に記載のコンピュータ可読媒体。
【請求項２３】
前記動作は、
前記ワイヤレス通信デバイスからさらなる１つまたは複数のデータパケットを受信すること、および
前記ワイヤレス通信デバイスから前記さらなる１つまたは複数のデータパケットを前記受信することに応じて、前記ワイヤレス通信デバイスの前記状態を前記接続された状態に戻すことをさらに備える請求項１７に記載のコンピュータ可読媒体。
【請求項２４】
前記動作は、
前記ワイヤレス通信デバイスの前記状態を、
前記第２のタイマがタイムアウトする前に前記ワイヤレス通信デバイスからデータパケットがまったく受信されていない場合、および
前記ワイヤレス通信デバイスと前記基地局の間の前記信号強度が、前記事前定義された信号強度しきい値以上である場合、
前記接続された状態に維持することをさらに備える請求項１７に記載のコンピュータ可読媒体。
【発明の詳細な説明】
【技術分野】
【０００１】
本明細書で説明される技術は、一般に、セルラーネットワークのセル内の基地局に通信可能に結合され得るユーザ機器の適応遷移に関する。
【背景技術】
【０００２】
別段本明細書に示されない限り、このセクションにおいて説明されるアプローチは、本願における特許請求の範囲に対する従来技術ではなく、このセクションに含められることによって従来技術であると認められるものではない。
【０００３】
ワイヤレス通信システム、例えば、セルラーネットワークのセルにおいて、基地局が、ユーザ機器の通信状態を、接続された状態とアイドル状態の間で変更する、すなわち、切り換えるように構成され得る。しかし、この変更プロセスは、ユーザ機器とセルの間で多大な伝送および対話を要する可能性があり、このため、通信リソースの浪費をもたらす可能性がある。
【発明の概要】
【０００４】
ユーザ機器の適応伝送のための技術が一般的に説明される。これらの様々な技法は、様々なシステム、方法、および／またはコンピュータ可読媒体において実施され得る。
【０００５】
いくつかの例において、様々な技法が、方法として実施され得る。いくつかの方法は、接続された状態にあるワイヤレス通信デバイスに関して第１のタイマおよび第２のタイマを初期化することであって、第１のタイマは、第１の持続時間の後にタイムアウトし、第２のタイマは、第２の持続時間の後にタイムアウトし、第２の持続時間は、第１の持続時間よりも長いこと、ワイヤレス通信デバイスから１つまたは複数のデータパケットを受信すること、第１のタイマと第２のタイマを同時に開始すること、およびワイヤレス通信デバイスの状態を、ワイヤレス通信デバイスと基地局の間の信号強度が事前定義された信号強度しきい値未満である場合、接続された状態からアイドル状態に変更することを含み得る。
【０００６】
他のいくつかの方法は、ワイヤレス通信デバイスに関して第１のタイマと第２のタイマを同時に開始することであって、第１のタイマは、第１の持続時間の後にタイムアウトし、第２のタイマは、第２の持続時間の後にタイムアウトし、第２の持続時間は、第１の持続時間よりも長いこと、ワイヤレス通信デバイスに関連する１つまたは複数のデータパケットを受信すること、その受信することが、第１のタイマがタイムアウトするより前に生じた場合、ワイヤレス通信デバイスが第１のタイプの通信状態にあると決定すること、およびその受信が、第１のタイマがタイムアウトした後に生じた場合、ワイヤレス通信デバイスが、第１のタイプの通信状態とは異なる第２のタイプの通信状態にあると決定することを含み得る。
【０００７】
他のいくつかの例において、様々な技法が、実行されると１つまたは複数のプロセッサに様々な動作を実行させる１つまたは複数のコンピュータ可読媒体上に記憶された実行可能命令として実施され得る。いくつかのコンピュータ可読媒体は、その１つまたは複数のプロセッサに、接続された状態にあるワイヤレス通信デバイスに関して第１のタイマと第２のタイマを同時に開始することであって、第１のタイマは、第１の持続時間の後にタイムアウトし、第２のタイマは、第２の持続時間の後にタイムアウトし、第２の持続時間は、第１の持続時間よりも長いこと、ワイヤレス通信デバイスの状態を、ワイヤレス通信デバイスと基地局の間の信号強度が事前定義された信号強度しきい値未満である場合、接続された状態からアイドル状態に変更することを含む動作を実行させ得る実行可能命令を記憶することが可能である。
【０００８】
以上の概要は、単に例示であり、限定することはまったく意図していない。前述した例示的な態様、実施形態、および特徴に加えて、さらなる態様、実施形態、および特徴が、図面、および後段の詳細な説明を参照することによって明白となろう。
【０００９】
後段の詳細な説明において、実施形態は、後段の詳細な説明から様々な変更および変形が当業者には明白となるので、単に例示として説明される。異なる図における同一の参照符号の使用は、同様の、または同一のアイテムを示す。
【図面の簡単な説明】
【００１０】
【図１】本明細書で説明される少なくともいくつかの実施形態により構成された、ユーザ機器の適応遷移が実施され得る例示的なシステムを示す図である。
【図２】本明細書で説明される少なくともいくつかの実施形態により構成された、ユーザ機器の適応遷移が実施され得る動作の処理フローの例示的な構成を示す図である。
【図３】本明細書で説明される少なくともいくつかの実施形態により構成された、ユーザ機器の適応遷移が実施され得る動作のサブ処理フローの例示的な構成を示す図である。
【図４】本明細書で説明される少なくともいくつかの実施形態により構成された、ユーザ機器の適応遷移のために構成された例示的なコンピューティングデバイスを示すブロック図である。
【発明を実施するための形態】
【００１１】
後段の詳細な説明において、その説明の一部分を形成する添付の図面が参照される。図面において、同様の符号は、別段文脈によって示されない限り、通常、同様の構成要素を識別する。さらに、別段明記されない限り、相次ぐそれぞれの図面の説明は、より明確な文脈、および当該の実施形態のより実質的な説明を与えるように前の図面のうちの１つまたは複数を参照し得る。さらに、詳細な説明、図面、および特許請求の範囲に記載される実施形態は、限定することは意図していない。本明細書で提示される主題の趣旨または範囲を逸脱することなく、他の実施形態が利用されることが可能であり、他の変更が行われることが可能である。本明細書で一般的に説明され、図面において示される本開示の態様は、多種多様な異なる構成において構成されること、置換されること、組み合わされること、分離されること、および設計されることが可能であり、それらのすべてが本明細書で明示的に企図されていることが容易に理解されよう。
【００１２】
図１は、本明細書で説明される少なくともいくつかの実施形態により構成された、ユーザ機器の適応遷移が実施され得る例示的なシステム１００を示す。図示されるとおり、例示的なシステム１００は、少なくとも、セル１０２と、セル１０２内のワイヤレス通信デバイスに通信サービスを提供する基地局１０４と、セル１０２内に位置するワイヤレス通信デバイス１０６と、基地局１０４によってホストされるアプリケーション１０８と、アプリケーション１０８によって実施されるショートタイマ１１０およびロングタイマ１１２とを含み得る。ワイヤレス通信デバイス１０６は、セル１０２と隣接するセル１１４の重なり合うカバレッジ内に位置することが可能である。
【００１３】
セル１０２は、それぞれのセルラーネットワークにおける無線カバレッジの範囲を指すことが可能である。セル１０２は、セル１０２内のユーザ機器、例えば、ワイヤレス通信デバイス１０６にワイヤレス通信をもたらすように構成されることが可能であり、基地局１０４をさらに備えることが可能である。その範囲は、基地局１０４に対応するアンテナからの距離に関して測定されることが可能であり、所与の方向における距離は、様々なパフォーマンスパラメータ、例えば、そのアンテナに給電される電流、アンテナ高、所与の方向における地形などに依存し得る。セル１０２は、隣接するセル１１４と重なり合うことが可能である。
【００１４】
基地局１０４は、セル１０２内のワイヤレス通信デバイス１０６の１つまたは複数の実施形態の間でワイヤレス通信をサポートする１つまたは複数のソフトウェアプログラム、例えば、基地局アプリケーション１０８をホストするように構成され得る、物理的デバイスとハードウェア構成要素の組合せを指すことが可能である。つまり、基地局１０４は、セル１０２内のワイヤレス通信デバイス１０６の１つまたは複数の実施形態にワイヤレス信号を送信するように、かつそのような実施形態からワイヤレス信号を受信するように構成され得る。そのような通信は、時分割複信ロングタームエボリューション（ＴＤＤ−ＬＴＥ）、周波数分割複信（ＦＤＤ−ＬＴＥ）、ＩＥＥＥ８０２．１５．４、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））、汎用パケット無線システム（ＧＰＲＳ）、符号分割多元接続（ＣＤＭＡ）、第３世代移動通信技術（３Ｇ）などを含む様々なワイヤレス通信標準に準拠して実施されることが可能であり、これらの標準が、セル１０２内のワイヤレス通信デバイス１０６のそれぞれの実施形態の動作モードをさらに決定することが可能である。それらの動作モードには、ＴＤＤモードおよびＦＤＤモードが含まれ得る。そのような例は、限定することは意図しておらず、したがって、そのように解釈されるべきではない。
【００１５】
ワイヤレス通信デバイス１０６は、モバイル電話、スマートフォン、携帯情報端末（ＰＤＡ）、パーソナルメディアプレーヤデバイス、特定用途向けデバイス、または以上の機能のいずれかを含むハイブリッドデバイスなどのモバイル（またはポータブル）電子デバイスを指すことが可能である。代替として、ワイヤレス通信デバイス１０６は、タブレット構成、ラップトップコンピュータ構成、非ラップトップコンピュータ構成などを含むパーソナルコンピュータとして実施されてもよい。ＬＴＥシステムにおいて、ワイヤレス通信デバイス１０６は、基地局アプリケーション１０８によってアイドル状態または接続された状態に設定され得る。
【００１６】
本明細書で記述される「アイドル状態」とは、ワイヤレス通信デバイス１０６が、基地局１０４から１つまたは複数のデータパケットを送受信しないであろう状態を指すことが可能である。
【００１７】
本明細書で説明される「接続された状態」とは、ワイヤレス通信デバイス１０６が、基地局１０４からの１つまたは複数のデータパケットを送受信することを許され得ることを指すことが可能である。接続された状態は、ＬＴＥ標準に準拠するＲＲＣ（Ｒａｄｉｏ  Ｒｅｓｏｕｒｃｅ  Ｃｏｎｔｒｏｌ）接続状態を含み得る。
【００１８】
基地局アプリケーション１０８は、基地局１０４の物理的デバイスおよびハードウェア構成要素を制御するように構成され得る、基地局１０４上でホストされる、またはそれ以外で実行されるソフトウェアプログラムを指すことが可能である。いくつかの例によれば、基地局アプリケーション１０８は、ワイヤレス通信デバイス１０６の状態を、ショートタイマ１１０およびロングタイマ１１２に従ってアイドル状態と接続された状態の間で変更する、すなわち、切り換えるように構成され得る。
【００１９】
ショートタイマ１１０およびロングタイマ１１２は、それぞれ、基地局アプリケーション１０８によってあらかじめ決定された持続時間からカウントダウンするように構成され得るソフトウェアプログラム、ハードウェア構成要素、ファームウェア、または以上の組合せを指すことが可能である。基地局アプリケーション１０８の例示的な実行によれば、ロングタイマ１１２に関して設定される持続時間は、ショートタイマ１１０に関して設定される持続時間よりも長いことが可能である。
【００２０】
いくつかの例によれば、基地局アプリケーション１０８は、ワイヤレス通信デバイス１０６がデータパケットの送信を完了すると、すなわち、ワイヤレス通信デバイス１０６が接続された状態にある場合に、ショートタイマ１１０およびロングタイマ１１２を始動し、開始するように構成され得る。さらに、基地局アプリケーション１０８は、ワイヤレス通信デバイス１０６が１つまたは複数のデータパケットを送信することを要求すると、またはワイヤレス通信デバイス１０６の他の実施形態が、例えば、基地局１０４に、ワイヤレス通信デバイス１０６に１つまたは複数のデータパケットを送信する１つまたは複数の要求を送信すると、ショートタイマ１１０およびロングタイマ１１２を再開するように構成され得る。図１に示されるとおり、ワイヤレス通信デバイス１０６は、セル１０２と隣接するセル１１４が重なり合う地域内に位置することが可能である。このため、基地局１０４からワイヤレス通信デバイス１０６に送信されたワイヤレス信号の強度が、所定のしきい値レベル未満に低下すると、または基地局１０４からワイヤレス通信デバイス１０６に送信されたワイヤレス信号の強度が、事前定義されたオフセットだけ隣接する基地局１１４からの信号強度より低い場合、ワイヤレス通信デバイス１０６は、隣接するセル１１４を介して他のワイヤレス通信デバイスとの通信を開始する要求を基地局１０４にサブミットすることが可能である。そのような要求の例には、ＬＴＥシステムに準拠するイベントＡ３が含まれ得る。基地局アプリケーション１０８は、基地局１０４が、ロングタイマ１１２がタイムアウトする前にその要求を受信した場合、ワイヤレス通信デバイス１０６をアイドル状態に変更し、ショートタイマ１１０およびロングタイマ１１２を停止することが可能である。逆に、基地局アプリケーション１０８は、基地局１０４が、ロングタイマ１１２がタイムアウトした後にその要求を受信した場合、ショートタイマ１１０、ロングタイマ１１２、およびワイヤレス通信デバイス１０６の接続された状態を維持して、ワイヤレス通信リソースのさらなる浪費を回避するように構成されることが可能である。
【００２１】
このため、図１は、ショートタイマ１１０と、ロングタイマ１１２とを含み得る、基地局アプリケーション１０８をホストする基地局１０４によってサポートされるセル１０２を含み得る例示的なシステム１００を示す。
【００２２】
図２は、本明細書で説明される少なくともいくつかの実施形態により構成された、ユーザ機器の適応遷移が実施され得る動作の処理フロー２００の例示的な構成を示す。図示されるとおり、処理フロー２００は、例示的なシステム１００の一部である様々な構成要素によって実行されるサブプロセスを含み得る。しかし、処理フロー２００は、そのような構成要素に限定されず、本明細書で説明されるサブプロセスのうちの２つ以上を並べ替えること、それらのサブプロセスのうちの少なくとも１つを無くすこと、さらなるサブプロセスを追加すること、構成要素を置換すること、または様々な構成要素に、後段の説明において他の構成要素に与えられるサブ処理役割を負わせさえすることによって変形が行われてもよい。処理フロー２００は、ブロック２０２、２０４、２０６、および２０８のうちの１つまたは複数によって示される様々な動作、機能、またはアクションを含み得る。処理は、ブロック２０２で始まることが可能である。
【００２３】
ブロック２０２（タイマを初期化する）は、基地局アプリケーション１０８が、基地局１０４に対して、接続された状態にあるワイヤレス通信デバイス１０６に関して第１のタイマ、例えば、ショートタイマ１１０、および第２のタイマ、例えば、ロングタイマ１１２を初期化することを指すことが可能である。接続された状態には、ＬＴＥ標準に準拠するＲＲＣ（）接続状態が含まれ得る。ロングタイマ１１２に関して初期化される持続時間は、ショートタイマ１１０の持続時間よりも長いことが可能である。いくつかの例によれば、ショートタイマ１１０の持続時間は、連続した２つのデータパケットの間の遅延の事前定義された間隔、例えば、標準化されたサービス品質（ＱｏＳ）クラス識別子によるパケット遅延バジェット（ＰＤＢ）より大きく設定され得る。他のいくつかの例において、連続した２つのデータパケットの間の遅延の間隔は、統計データ、例えば、伝送中のデータパケット間の平均遅延に基づいて事前定義され得る。処理は、ブロック２０２からブロック２０４に進むことが可能である。
【００２４】
ブロック２０４（データパケットを受信する）は、基地局１０４が、ワイヤレス通信デバイス１０６によって送信された１つまたは複数のデータパケットを受信することを指すことが可能である。ワイヤレス通信デバイス１０６は、基地局１０４との関係で、データパケットを送信するまたは受信する、接続された状態にあることが可能である。ワイヤレス通信デバイス１０６がアイドル状態にある場合、基地局アプリケーション１０８が、ワイヤレス通信デバイス１０６の状態を、基地局１０４がワイヤレス通信デバイス１０６にデータパケットを送信する前に、接続された状態に切り換えることが可能である。処理は、ブロック２０４からブロック２０６に進むことが可能である。
【００２５】
ブロック２０６（タイマを開始する）は、基地局アプリケーション１０８が、基地局１０４において１つまたは複数のデータパケットが受信されると、ショートタイマ１１０とロングタイマ１１２を同時に開始することを指すことが可能である。ショートタイマ１１０およびロングタイマ１１２は、それぞれの初期化された持続時間からカウントダウンするように構成され得る。処理は、ブロック２０６からブロック２０８に進むことが可能である。
【００２６】
ブロック２０８（状態を変更する）は、ワイヤレス通信デバイス１０６の状態を、ワイヤレス通信デバイスと基地局１０４の間の信号強度が事前定義された信号強度しきい値未満である場合、アイドル状態に変更することを指すことが可能である。いくつかの例によれば、ワイヤレス通信デバイス１０６は、基地局１０４から送信されたワイヤレス信号の信号強度を、ワイヤレス通信デバイス１０６のアンテナを流れる電流を監視することによって監視するように構成され得る。信号強度が事前定義された信号強度しきい値未満に低下すると、基地局１０４が、ワイヤレス通信デバイス１０６からその劣悪な信号強度を示すメッセージを受信することが可能である。その指示は、隣接するセル１１４の信号強度が、セル１０２における監視された信号強度よりも強いことを示す、ワイヤレス通信デバイス１０６からのレポートを含むことが可能である。
【００２７】
このため、図２は、ワイヤレス通信デバイス１０６に関してショートタイマ１１０およびロングタイマ１１２を開始すること、ワイヤレス通信デバイス１０６から１つまたは複数のデータパケットを受信すること、その受信することに応じてショートタイマとロングタイマを同時に開始すること、およびワイヤレス通信デバイス１０６の状態を、ワイヤレス通信デバイス１０６と基地局１０４の間の信号強度が事前定義された信号強度しきい値未満である場合、接続された状態からアイドル状態に変更することを含み得る動作の処理フロー２００の例示的な構成を示す。
【００２８】
図３は、本明細書で説明される少なくともいくつかの実施形態により構成された、ユーザ機器の適応遷移が実施され得る動作のサブ処理フロー３００の例示的な構成を示す。図示されるとおり、サブ処理フロー３００は、例示的なシステム１００の一部である様々な構成要素によって実行されるサブプロセスを含み得る。しかし、サブ処理フロー３００は、そのような構成要素に限定されず、本明細書で説明されるサブプロセスのうちの２つ以上を並べ替えること、それらのサブプロセスのうちの少なくとも１つを無くすこと、さらなるサブプロセスを追加すること、構成要素を置換すること、または様々な構成要素に、後段の説明において他の構成要素に与えられるサブ処理役割を負わせさえすることによって変形が行われてもよい。サブ処理フロー３００は、ブロック３０２、３０４、３０６、３０８、３１０、３１２、３１４、３１６、および３１８のうちの１つまたは複数によって示される様々な動作、機能、またはアクションを含み得る。処理は、ブロック３０２で始まることが可能である。
【００２９】
ブロック３０２（接続された状態を維持する、または接続された状態に切り換える）は、基地局アプリケーション１０８が、ワイヤレス通信デバイス１０６の状態を接続されたものとして維持すること、またはワイヤレス通信デバイス１０６の状態を、アイドル状態から接続された状態に切り換えることを指すことが可能である。処理は、ブロック３０２からブロック３０４に進むことが可能である。
【００３０】
決定ブロック３０４（データパケットが送信された、または受信されたか）は、基地局アプリケーション１０８が、ショートタイマ１１０およびロングタイマ１１２が基地局アプリケーション１０８によって開始された後に、ワイヤレス通信デバイス１０６が１つまたは複数のデータパケットを送信している、または受信しているかどうかを決定することを指すことが可能である。「はい」である場合、処理は、決定ブロック３０４からブロック３０６に進むことが可能である。「いいえ」である場合、処理は、決定ブロック３０４からブロック３０８に進むことが可能である。
【００３１】
ブロック３０６（タイマを再開する）は、基地局アプリケーション１０８が、ショートタイマ１１０およびロングタイマ１１２が開始された後にワイヤレス通信デバイス１０６が１つまたは複数のデータパケットを送信している、または受信していると決定された場合、ショートタイマ１１０とロングタイマ１１２を同時に再開することを指すことが可能である。処理は、ブロック３０６から決定ブロック３１０に進むことが可能である。
【００３２】
ブロック３０８（カウントダウンを続ける）は、基地局アプリケーション１０８が、ショートタイマ１１０およびロングタイマ１１２が開始された後にワイヤレス通信デバイス１０６が１つまたは複数のデータパケットを送信している、または受信していると決定されなかった場合、それぞれ、ショートタイマ１１０およびロングタイマ１１２によるカウントダウンを続けることを指すことが可能である。処理は、ブロック３０８から決定ブロック３１０に進むことが可能である。
【００３３】
決定ブロック３１０（ショートタイマはタイムアウトするか）は、基地局アプリケーション１０８が、基地局アプリケーション１０８がワイヤレス通信デバイス１０６からデータパケットを送信する要求を受信することに先立って、ショートタイマ１１０がタイムアウトするかどうかを決定することを指すことが可能である。「はい」である場合、処理は、決定ブロック３１０から決定ブロック３１２に進むことが可能である。「いいえ」である場合、処理は、決定ブロック３１０からブロック３０２に戻ることが可能である。
【００３４】
決定ブロック３１２（ロングタイマはタイムアウトするか）は、基地局アプリケーション１０８が、基地局アプリケーション１０８が隣接するセル１１４を介して他のワイヤレス通信デバイスとの通信を開始する要求を受信することに先立って、ロングタイマ１１２がタイムアウトするかどうかを決定することを指すことが可能である。「いいえ」である場合、処理は、決定ブロック３１２から決定ブロック３１４に進むことが可能である。「はい」である場合、処理は、決定ブロック３１０からブロック３０２に戻ることが可能である。
【００３５】
決定ブロック３１４（新たなセルに移るか）は、基地局アプリケーション１０８が、基地局１０４がワイヤレス通信デバイス１０６から、ワイヤレス通信デバイスが、セル１０２に対応する基地局１０４の代わりに、隣接するセル１１４に対応する基地局を介してワイヤレス通信を開始するという指示または通知を受信しているかどうかを決定することを指すことが可能である。いくつかの例において、ワイヤレス通信デバイス１０６が、セル１０２と隣接するセル１１４が重なり合う地域内に位置している場合、基地局１０４からワイヤレス通信デバイス１０６に送信されたワイヤレス信号のワイヤレス信号強度が、所定のしきい値レベル未満に低下して、劣化した通信品質をもたらす可能性がある。基地局１０４から送信された弱いワイヤレス信号に起因する劣化した通信品質を回避するために、すると、ワイヤレス通信デバイス１０６は、隣接するセル１１４経由で他のワイヤレス通信デバイスと通信することを開始し、隣接するセル１１４経由の新たな通信について基地局１０４に同時に通知することが可能である。「はい」である場合、処理は、決定ブロック３１４からブロック３１６に進むことが可能である。「いいえ」である場合、処理は、決定ブロック３１４からブロック３０２に戻ることが可能である。
【００３６】
ブロック３１６（状態をアイドルに変更する）は、基地局アプリケーション１０８がワイヤレス通信デバイス１０６の状態をアイドル状態に変更することを指すことが可能である。代替として、基地局アプリケーション１０８は、ワイヤレス通信デバイス１０６の状態をアイドル状態として維持するように構成されてもよい。ワイヤレス通信デバイス１０６がアイドル状態に設定されている場合、基地局１０４は、ワイヤレス通信デバイス１０６が、状態を接続された状態に変更するよう基地局１０４および基地局アプリケーション１０８に要求をサブミットするのでない限り、ワイヤレス通信デバイス１０６からデータパケットを受信することも、ワイヤレス通信デバイスにデータパケットを送信することもしない可能性がある。処理は、ブロック３１６から決定ブロック３１８に進むことが可能である。
【００３７】
決定ブロック３１８（データパケットを送信する要求を受信するか）は、基地局アプリケーション１０８が、ワイヤレス通信デバイス１０６から１つまたは複数のデータパケットを送信する、ワイヤレス通信デバイス１０６によってサブミットされた１つまたは複数の要求を基地局１０４が受信しているかどうかを決定することを指すことが可能である。「はい」である場合、処理は、ブロック３０２に戻ることが可能である。「いいえ」である場合、処理は、ブロック３１６に戻ることが可能である。
【００３８】
このため、図３は、処理フロー２００のブロック２０８に含められ得る動作のサブ処理フロー３００の例示的な構成を示す。
【００３９】
図４は、本開示によるユーザ機器の適応遷移のために構成された例示的なコンピューティングデバイス４００を示すブロック図である。非常に基本的な構成４０２において、コンピューティングデバイス４００は、通常、１つまたは複数のプロセッサ４０４と、システムメモリ４０６とを含む。メモリバス４０８が、プロセッサ４０４とシステムメモリ４０６の間で通信するために使用され得る。
【００４０】
所望される構成に依存して、プロセッサ４０４は、マイクロプロセッサ（μＰ）、マイクロコントローラ（μＣ）、デジタルシグナルプロセッサ（ＤＳＰ）、または以上の任意の組合せを含むが、以上には限定されない任意のタイプであり得る。プロセッサ４０４は、レベル１キャッシュ４１０およびレベル２キャッシュ４１２、プロセッサコア４１４、およびレジスタ４１６などの１つまたは複数のレベルのキャッシングを含み得る。例示的なプロセッサコア４１４は、算術論理演算装置（ＡＬＵ）、浮動小数点数演算装置（ＦＰＵ）、デジタル信号処理コア（ＤＳＰコア）、または以上の任意の組合せを含み得る。また、例示的なメモリコントローラ４１８がプロセッサ４０４と一緒に使用されることも可能であり、または一部の実施例において、メモリコントローラ４１８は、プロセッサ４０４に一体化している部分であってもよい。
【００４１】
所望される構成に依存して、システムメモリ４０６は、揮発性メモリ（ＲＡＭなどの）、不揮発性メモリ（ＲＯＭ、フラッシュメモリなどの）、または揮発性メモリと不揮発性メモリの任意の組合せを含むが、以上には限定されない任意のタイプであり得る。システムメモリ４０６は、オペレーティングシステム４２０、１つまたは複数のアプリケーション４２２、およびプログラムデータ４２４を含み得る。アプリケーション４２２は、図２のプロセス２００、および図３のプロセス３００に関連して説明される機能を含め、本明細書で説明される機能を実行するように構成された適応遷移プロセス４２６を含み得る。プログラムデータ４２４は、本明細書で説明される適応遷移プロセス４２６に役立ち得る適応遷移データ４２８を含み得る。いくつかの実施形態において、アプリケーション４２２は、ユーザ機器のロバストな適応遷移の実施例が本明細書で説明されるとおりに提供され得るようにオペレーティングシステム４２０上でプログラムデータ４２４を処理するように構成され得る。この説明される基本構成４０２は、内側の破線内の構成要素によって図４に示される。
【００４２】
コンピューティングデバイス４００は、基本構成４０２と任意の要求されるデバイスおよびインターフェースとの間の通信を円滑にするさらなる特徴または機能、およびさらなるインターフェースを有することが可能である。例えば、バス／インターフェースコントローラ４３０が、ストレージインターフェースバス４３４経由で基本構成４０２と１つまたは複数のデータストレージデバイス４３２の間の通信を円滑にするのに使用され得る。データストレージデバイス４３２は、取外し式ストレージデバイス４３６、非取外し式ストレージデバイス４３８、または取外し式ストレージデバイスと非取外し式ストレージデバイスの組合せであることが可能である。取外し式ストレージおよび非取外し式ストレージデバイスの例には、いくつかを挙げると、フレキシブルディスクドライブおよびハードディスクドライブ（ＨＤＤ）などの磁気ディスクデバイス、コンパクトディスク（ＣＤ）ドライブまたはデジタルバーサタイルディスク（ＤＶＤ）ドライブなどの光ディスクドライブ、ソリッドステートドライブ（ＳＳＤ）、およびテープドライブが含まれる。例示的なコンピュータ記憶媒体には、コンピュータ可読命令、データ構造、プログラムモジュール、または他のデータなどの情報を記憶するために任意の方法または技術で実装された揮発性媒体および不揮発性媒体、取外し式媒体および非取外し式媒体が含まれ得る。
【００４３】
システムメモリ４０６、取外し式ストレージデバイス４３６、および非取外し式ストレージデバイス４３８が、コンピュータ記憶媒体の例である。コンピュータ記憶媒体は、ＲＡＭ、ＲＯＭ、ＥＥＰＲＯＭ、フラッシュメモリもしくは他のメモリ技術、ＣＤ−ＲＯＭ、デジタルバーサタイルディスク（ＤＶＤ）もしくは他の光ストレージ、磁気カセット、磁気テープ、磁気ディスクストレージもしくは他の磁気ストレージデバイス、または所望される情報を記憶するのに使用されることが可能であり、コンピューティングデバイス４００によってアクセスされ得る他の任意の媒体が含まれるが、以上には限定されない。任意のそのようなコンピュータ記憶媒体が、コンピューティングデバイス４００の一部であり得る。
【００４４】
また、コンピューティングデバイス４００は、バス／インターフェースコントローラ４３０経由で様々なインターフェースデバイス（例えば、出力デバイス４４２、周辺インターフェース４４４、および通信デバイス４４６）から基本構成４０２への通信を円滑にするためのインターフェースバス４４０を含むことも可能である。例示的な出力デバイス４４２には、１つまたは複数のＡ／Ｖポート４５２経由でディスプレイまたはスピーカなどの様々な外部デバイスに通信するように構成され得るグラフィック処理ユニット４４８およびオーディオ処理ユニット４５０が含まれる。例示的な周辺インターフェース４４４には、１つまたは複数のＩ／Ｏポート４５８経由で入力デバイス（例えば、キーボード、マウス、ペン、音声入力デバイス、タッチ入力デバイスなど）または他の周辺デバイス（例えば、プリンタ、スキャナなど）などの外部デバイスと通信するように構成され得るシリアルインターフェースコントローラ４５４またはパラレルインターフェースコントローラ４５６が含まれる。例示的な通信デバイス４４６は、１つまたは複数の通信ポート４６４経由でネットワーク通信リンクを介して他の１つまたは複数のコンピューティングデバイス４６２との通信を円滑にするように構成され得るネットワークコントローラ４６０を含む。
【００４５】
ネットワーク通信リンクは、通信媒体の一例であり得る。通信媒体は、通常、搬送波などの変調されたデータ信号、または他のトランスポート機構におけるコンピュータ可読命令、データ構造、プログラムモジュール、または他のデータによって実現されることが可能であり、任意の情報配信媒体を含み得る。「変調されたデータ信号」は、信号内に情報を符号化するように信号の特性のうちの１つまたは複数が設定されている、または変更されている信号であり得る。例として、限定としてではなく、通信媒体は、有線ネットワークまたは直接配線接続、ならびに音響、無線周波数（ＲＦ）、マイクロ波、赤外線（ＩＲ）、および他のワイヤレス媒体などの有線媒体を含み得る。本明細書で使用されるコンピュータ可読媒体という用語は、記憶媒体と通信媒体をともに含み得る。
【００４６】
コンピューティングデバイス４００は、セルラー電話、携帯情報端末（ＰＤＡ）、パーソナルメディアプレーヤデバイス、ワイヤレスウェブウォッチデバイス、パーソナルヘッドセットデバイス、特定用途向けデバイス、または前述の機能のいずれかを含むハイブリッドデバイスなどのスモールフォームファクタポータブル（またはモバイル）電子デバイスの一部分として実施され得る。また、コンピューティングデバイス４００は、ラップトップコンピュータ構成と非ラップトップコンピュータ構成の両方を含むパーソナルコンピュータとして実施されることも可能である。
【図１】
0005998295.tif 000002
【図２】
0005998295.tif 000003
【図３】
0005998295.tif 000004
【図４】
0005998295.tif 000005